(57)【要約】【課題】  製造コストを抑えつつ、吊上時の蛇篭の変形を防止するとともに、海洋／護岸工事等に用いたときに、海水や河川水の動き等による転倒や位置ずれを生じにくい大型蛇篭を提供する。【解決手段】  底面１１、側面１２、上蓋１３を備える蛇篭本体１４と、この蛇篭本体の底面の下に配する台座２０とからなり、蛇篭本体１４の側面１２の内側に、該蛇篭本体１４の底面１１と略平行に配した内周骨線３０を備え、この内周骨線は、側面１２の上端部または上端部から若干下方に離隔させた位置に配設する。台座２０は、吊上ワイヤＲの端部リングを係着させる係着部２１を備え、該係着部は、蛇篭本体１４の底面１１の輪郭より内側位置において、前記端部リングを係着させる（請求項１）。吊上ワイヤＲは、すべて蛇篭本体１４の内側を通ってクレーン等のフックに係合させるので、吊上時に、蛇篭本体１４の側面１２には力が作用せず、変形を防止できる。【選択図】    図２
2018165453.tif 000002
【特許請求の範囲】
【請求項１】
底面、側面、上蓋を備える蛇篭本体と、
この蛇篭本体の底面の下に配する台座とからなり、
前記蛇篭本体の側面の内側に、
該蛇篭本体の底面と略平行に配した内周骨線を備え、
この内周骨線は、
前記側面の上端部または上端部から若干下方に離隔させた位置に配設し、
前記台座は、
吊上ワイヤの端部リングを係着させる係着部を備え、
該係着部は、
前記蛇篭本体の底面の輪郭より内側位置において、
前記端部リングを係着させるものであることを特徴とする大型蛇篭。
【請求項２】
蛇篭本体の底面の下に配する台座は、
四本の金属製の棒材／平板材を井桁に組んだ基礎台座と、
この基礎台座の上に配した上部台座とからなり、
該上部台座は、
蛇篭本体の底面の輪郭と略相似形を呈する金属製の棒材／平板材であり、
蛇篭本体の底面の輪郭よりも若干小さな寸法に成形し、
前記蛇篭本体の底面の輪郭と略均等な間隔となる位置に配することを特徴とする請求項１記載の大型蛇篭。
【請求項３】
請求項１または請求項２記載の大型蛇篭を吊り上げる吊上方法であって、
両端部に端部リングを備える吊上ワイヤを用い、
この二つの端部リングを、
離隔させて台座の二箇所の係着部に係着させる一方、
二箇所の係着部から上方に立ち上げた吊上ワイヤを、
蛇篭本体の側面内側にある内周骨線の外側を通過させ、
螺旋状の連結コイルを介して、
該内周骨線、吊上ワイヤ、および蛇篭本体の側面とを同時に拘束し、
湾曲させた吊上ワイヤの頂部を、
吊上重機のフックに係合させることを特徴とする大型蛇篭の吊上方法。
【発明の詳細な説明】
【技術分野】
【０００１】
本発明は、蛇篭に係り、とくに海洋工事／護岸工事等において使用する大型の蛇篭の構造と吊上方法に関する。
【背景技術】
【０００２】
蛇篭は、底面、側面、上面を金網によって成形し、内部に石材を詰めて各種の土木工事に用いる。
【０００３】
使用目的によって蛇篭の大きさは適宜設定できるが、海洋工事や護岸工事のように強い力を受ける場所に用いる蛇篭は、蛇篭本体に充填する石材の重量が、例えば１０トン程度のものとなることがある。
【０００４】
重量のある蛇篭、とくに１０トンクラスの大型蛇篭は、蛇篭に使用する金網の金属線を太くしても、吊上ワイヤを介して持ち上げると、石材の重量によって変形しやすい。
【０００５】
蛇篭の変形量が大きいと、設計通りの土木作業が出来ず、期待される作用効果にも好ましくない影響を与える。
【０００６】
このため、従来から、大型蛇篭の変形を抑える提案がなされている。例えば、下記特許文献１では、図１４、図１５に示すように、蛇篭本体１の内側に有底無蓋の保護枠体２を配設し、石詰めを行った後、蛇篭本体１の側面に設けた吊り上げ用金物部材３を介して、吊上作業を行う旨が提案されている。
【０００７】
この発明によれば、蛇篭本体１の内側に配した保護枠体２によって、吊上時の蛇篭の変形を抑えることが可能となる。
【先行技術文献】
【特許文献】
【０００８】
【特許文献１】特開平７−１０９７１８
【発明の開示】
【発明が解決しようとする課題】
【０００９】
従来技術の問題は、二つある。
【００１０】
第一に、蛇篭に保護枠体（２）を設けると、蛇篭の製造コストが嵩む点にある。蛇篭の変形を防止できる点では優れるが、製造コストが嵩むと、予算が限られている公共事業等の大型事業に用いることは難しくなる。
【００１１】
第二に、大型蛇篭を海中等に投入する海洋工事や護岸工事の場合、保護枠体（２）が海水等の動きを全面で受けることにある。
【００１２】
海洋工事に用いる場合、台風時や津波発生時など、海水が激しく動くときは、蛇篭側面の四周全体に設けた保護枠体（２）に膨大なエネルギーをもった海水の力が働き、重量のある大型蛇篭であっても転倒する可能性がある。
【００１３】
また、転倒に至らなくても、強い海水や河川水の流動によって、蛇篭が大きく位置ずれを起こす虞れがある。
【００１４】
海洋／護岸等の土木工事において、蛇篭の転倒や位置ずれが生ずると、吊上時における蛇篭の変形以上に、設計通りの作用効果を得ることが難しくなる。
【００１５】
そこで、本発明の目的は、製造コストを抑えつつ、吊上時の蛇篭の変形を防止するとともに、海洋／護岸工事に用いたときに、海水や河川水の動きによる転倒や位置ずれを生じにくい大型蛇篭を提供することにある。
【課題を解決するための手段】
【００１６】
前記目的を達成するため、本発明に係る大型蛇篭は、底面、側面、上蓋を備える蛇篭本体（例えば直方体または円柱形）と、この蛇篭本体の底面の下に配する台座とからなり、前記蛇篭本体の側面の内側に、該蛇篭本体の底面と略平行に配した内周骨線を備え、この内周骨線は、前記側面の上端部または上端部から若干下方に離隔させた位置に配設し、前記台座は、吊上ワイヤの端部リングを係着させる係着部を備え、該係着部は、前記蛇篭本体の底面の輪郭より内側位置において、前記端部リングを係着させるものである（請求項１）。
【００１７】
かかる構成によれば、吊上ワイヤの下端部の支持点を、蛇篭本体の下にある台座とした上で、蛇篭本体の上方に位置させた内周骨線を介して吊上ワイヤを案内できる。
【００１８】
吊上ワイヤは、下端から上端まで、すべて蛇篭本体の内側を通ってクレーン等のフックに係合させることができるので、吊上時に、蛇篭本体の側面には力が作用せず、従って、蛇篭本体の変形を確実に防止できる。
【００１９】
蛇篭本体の底面の下に配する台座は、四本の金属製の棒材／長尺平板材を井桁に組んだ基礎台座と、この基礎台座の上に配した上部台座とからなり、該上部台座は、蛇篭本体の底面の輪郭と略相似形を呈する金属製の棒材／長尺平板材であり、蛇篭本体の底面の輪郭よりも若干小さな寸法に成形し、前記蛇篭本体の底面の輪郭と略均等な間隔位置となる位置に配する場合がある（請求項２）。
【００２０】
台座は、吊上時に蛇篭本体の底面を支えると同時に、吊上ワイヤの下端部を係着させるものである。
【００２１】
この目的を最も低コストで実現するため、金属製の棒材／長尺平板材を用いて、井桁に組んだ基礎台座と、蛇篭本体の底面の輪郭と略相似形を呈する上部台座とによって台座を構成する。
【００２２】
吊上ワイヤの端部リングは、金属製の棒材／長尺平板材に係着させることが出来、上部台座が端部リングの位置ずれを制限する。
【００２３】
鋼板等を用いて台座を構成するよりも、製造コストを低減でき、現場で簡単に組立作業が出来るため、鋼板台座に較べて取り扱いも容易である。
【００２４】
請求項３は、請求項１または請求項２記載の大型蛇篭を吊り上げる吊上方法である。これは、両端部に端部リングを備える吊上ワイヤを用い、この二つの端部リングを、離隔させて台座の二箇所の係着部に係着させる一方、二箇所の係着部から上方に立ち上げた吊上ワイヤを、蛇篭本体の内周骨線の外側を通過させ、螺旋状の連結コイルを介して、該内周骨線、吊上ワイヤ、および蛇篭本体の側面とを同時に拘束し、湾曲させた吊上ワイヤの頂部を、吊上重機のフックに係合させるものである。
【００２５】
吊上ワイヤの端部リングを台座の係着部に固定し、蛇篭本体の内周骨線の外側を通過させる理由は、次の通りである。
【００２６】
本発明における大型蛇篭は、底面と上蓋とを除き、吊上ワイヤを蛇篭本体の側面の外側に位置させることなく、蛇篭本体を吊り上げるものである。
【００２７】
実験によれば、蛇篭本体の上端部または上端部よりも若干下方に内周骨線を配し、吊上ワイヤを内周骨線の外側を通して案内して吊り上げると、石材の動きによる蛇篭の変形は殆ど生じない。
【００２８】
吊上ワイヤが、蛇篭本体を外側から圧迫しないためである。また、内周骨線が、吊上時における吊上ワイヤの自由な動きを制限するので、石材も吊上ワイヤの動きに影響されることなく、充填時の元の位置を保つからである。
【００２９】
台座から直線的に吊上ワイヤを上方に伸ばし、重機フックに掛ける場合に較べ、くの字状を呈するよう吊上ワイヤを案内することにより、吊上時のバランスを良好に保ち、石材の動き（変動）を最小限に抑えることが出来る。
【発明の効果】
【００３０】
本発明に係る大型蛇篭およびその吊上方法によれば、製造コストを抑えつつ、吊上時の蛇篭の変形を防止できる。また、保護枠体を用いないので、海洋/護岸工事に用いたときにも、海水等の動きによる転倒や位置ずれを生じにくい。
【図面の簡単な説明】
【００３１】
【図１】本発明に係る蛇篭の実施形態を例示する斜視図である。
【図２】図１に係る蛇篭に吊上ワイヤを配する場合を例示する図である。
【図３】本発明に係る台座の第二の実施形態を示す斜視図である。
【図４】図３に示す台座を平面から例示する図である。
【図５】図３に示す台座の上に蛇篭本体を載せる状態を示す図である。
【図６】図４に示す台座に吊上ワイヤを係着させる前の平面図である。
【図７】図４に示す台座に吊上ワイヤを係着させた後を例示する図である。
【図８】図１に係る蛇篭に吊上ワイヤを配した状態を示す図である。
【図９】実施形態に係る上蓋を例示する平面図である。
【図１０】本発明に係る蛇篭の内周骨線を最上部に配した状態を示す図である。
【図１１】本発明に係る蛇篭をフトン篭に適用する場合を例示する図である。
【図１２】図４に係る台座をフトン篭に適用する場合を例示する図である。
【図１３】図９に係る上蓋をフトン篭に適用する場合を例示する図である。
【図１４】従来の大型蛇篭を例示する第一の図である。
【図１５】従来の大型蛇篭を例示する第二の図である。
【発明を実施するための形態】
【００３２】
図１は、本発明に係る蛇篭の実施形態を例示するものである。
【００３３】
この蛇篭１０は、底面１１、側面１２、上蓋１３を備える蛇篭本体１４と、この蛇篭本体１４の底面１１の下に配する台座２０とからなり、蛇篭本体１４の側面１２の内側に、該蛇篭本体１４の底面１１と略平行に配した内周骨線３０を備える。
【００３４】
この内周骨線３０は、蛇篭本体１４の上端部または上端部から若干下方に離隔させた位置に配設する。
【００３５】
底面１１の下に配する台座２０は、図示しない吊上ワイヤの端部リングを係着させる係着部２１を備え、該係着部２１は、蛇篭本体１４の底面１１の輪郭より内側位置に配する。
【００３６】
本実施形態で用いる蛇篭本体１４は、従来から広く使用されている略円柱形（円筒形）の蛇篭、いわゆるダルマ篭である。
【００３７】
ダルマ篭に使用する底面１１、側面１２、上蓋１３の金網部材は、市場に広く流通しているものを使用できる。
【００３８】
底面１１、側面１２、上蓋１３の金網部材は、必要箇所に骨線Ｐ（太い金属線を備え、フレーム（枠材）である骨線Ｐの間に、金網を掛け渡してある。金網の網目寸法は、内部に充填する石材との関係で適宜設定する。
【００３９】
金網は、衝撃吸収性のある菱形金網、あるいは強度に優れる格子金網（ウェッジワイヤースクリーン；溶接金網）等、各種のものを使用できる。
【００４０】
底面１１、側面１２、上蓋１３の金網部材の連結／結合は、従来と同様に、螺旋状の連結コイル１８を使用することが望ましい。連結コイル１８も、各種のタイプの製品が市販されている。
【００４１】
連結コイル１８を使用すると、金網同士、金網と骨線、金網と吊上ワイヤ等を、適宜の組合せで、当該コイルの螺旋内周部に収めて相互に連結させることが出来る。完全な固定ではなく、若干の隙間や緩やかさをもった連結状態であるが、組み立てが容易であり、使用上の問題もない。
【００４２】
台座２０は、底面１１を下から支持して変形を抑え、吊上ワイヤ（図示せず）を係着させるものである。この台座２０としては、例えば、メッシュパネル（格子パネル）、金属板等を使用することが出来る。後に述べるように、金属棒材を用いて、より簡単な構成とすることも可能である。
【００４３】
台座２０に設ける係着部２１は、吊上ワイヤの端部リングを係着させる機能があればよい。例えば、逆Ｕ字状のフック、略Ｏ字状のリング等を使用できる。係着部２１の数は、使用する吊上ワイヤの本数に応じて設定する。
【００４４】
かかる構成によれば、図２に示すように、吊上ワイヤ（金属製ワイヤロープ）Ｒの端部リング（環状部）を係着部２１に係合させる一方、上方に案内した吊上ワイヤＲを、内周骨線３０の外側を通過させ、さらに上方に導くことにより、湾曲させた最上部をクレーンフック（図示せず）に係合させて、蛇篭１０を吊り上げることが出来る。
【００４５】
内周骨線３０の外側を通過させる吊上ワイヤＲは、蛇篭本体１４の側面１２の内側を通過しており、側面１２の外側には出ない。
【００４６】
このような状態で蛇篭１０を吊り上げた場合、蛇篭本体１４には外側から蛇篭本体１４を圧迫する力が作用しない。従って、蛇篭本体１４は変形することなく吊り上げることが出来る。
【００４７】
蛇篭本体１４の底面１１は、台座２０によって支持されるので変形せず、側面１２には吊上ワイヤＲの圧迫外力が働かないので、蛇篭本体１４は変形しない。
【００４８】
また、吊上ワイヤＲは、上端部または上端部に近い下方位置に配した内周骨線３０の外側を通すことが出来るので、当該内周骨線３０が吊上ワイヤＲの圧迫力を受け止め、結果として、蛇篭本体１４に詰めた石材が吊上時に外側から圧迫されて、上方に盛り上がる位置ずれ変形を起こすこともない。故に、上蓋１３の変形も生じない。
【００４９】
図２では、吊上ワイヤＲの二つの端部リングを比較的接近して設けた隣接する係着部２１に係合させ、クレーンフックに係合させる最上部が湾曲した状態となる場合を例示してあるが、吊上ワイヤＲは、いわゆる玉掛け（一方の端部リングを係着部２１に係合させ、他方の端部リングをクレーンフックに係合させる）方法によって配しても良い。最上部を湾曲させる場合に較べて二倍の吊上ワイヤＲの本数を要するが、作用効果は略同じである。
【００５０】
前記説明では、台座２０として金属板を使用しても良い旨を記載したが、金属板（鋼板等）を使用すると、輸送／搬送時の取り扱いが面倒になるとともに、コストが嵩む難がある。
【００５１】
そこで、台座２０は、例えば図３に示すように、四本の金属製の棒材５１（または平板材）を井桁に組んだ基礎台座５０と、この基礎台座５０の上に配した上部台座６０とによって構成することがより望ましい。
【００５２】
上部台座６０は、蛇篭本体１４の底面１１の輪郭と略相似形を呈する金属製の棒材（または平板材）であり、蛇篭本体１４の底面１１の輪郭よりも若干小さな寸法に成形し、蛇篭本体１４の底面１１の輪郭と略均等な間隔位置となる位置に配する。
【００５３】
基礎台座５０を構成する棒材５１は、適宜箇所を適宜の仮止めクリップ等を介して簡単に固定しておけば良く、溶接する必要はない。
【００５４】
上部台座６０は、基礎台座５０の上に配置するだけで良く、基礎台座５０に固定する必要はない。上部台座６０は、例えば、半円形の棒材を二つ使用して、螺旋状の連結コイルを介して両者を連結することによって円形に成形することが出来る。
【００５５】
図４に示すように、基礎台座５０の棒材５１は、蛇篭本体１４の底面１１の直径と略同一（またはそれ以下）の差し渡し寸法とすることが望ましい。
【００５６】
これは、蛇篭本体１４に石材を詰めるときに、蛇篭本体１４の型くずれを防止する金属型枠を使用するからであり、底面１１の直径よりも基礎台座５０の方が大きいと、蛇篭本体１４と相似形を呈する金属型枠等から蛇篭１０を引き上げることが出来ないからである。
【００５７】
そして、図５に示すように、台座２０の上に蛇篭本体１４の底面１１と側面１２とを配し、金属型枠を用いて石材（図示せず）を投入する。
【００５８】
しかしながら、石材の投入後に吊上ワイヤ（Ｒ）を配することは困難である。従って、石材の投入前に吊上ワイヤ（Ｒ）を配設することが望ましい。以下、説明する。
【００５９】
図６〜図９は、本発明に係る大型蛇篭を吊り上げる方法（吊上ワイヤの配設方法）を例示するものである。
【００６０】
まず、図６に示すように、両端部に端部リングＲ−１、Ｒ−２を備える吊上ワイヤＲを用いて、例えば、この二つの端部リングＲ−１、Ｒ−２を、離隔させて台座２０の二箇所の係着部２１に係合させる。
【００６１】
なお、吊上時に端部リングＲ−１、Ｒ−２が位置する箇所（係着部２１）を黒点を用いて示した。棒材５１（または平板材）を井桁に組んだ基礎台座５０を使用する場合は、棒材５１に端部リングＲ−１、Ｒ−２を係合させることが可能であり、上部台座６０が端部リングＲ−１、Ｒ−２の動きを拘束するので、基礎台座５０と上部台座６０が相俟って係着部２１を構成することになる。
【００６２】
端部リングＲ−１、Ｒ−２は、蛇篭本体１４の底面１１の上から下方に向かって差し入れ、上部台座６０を持ち上げて、棒材５１の先端部から係合させる。上部台座６０は基礎台座５０に固定していないから簡単に持ち上げることができる。
【００６３】
図７は、適宜数、例えば４本の吊上ワイヤＲを台座２０に固定した状態を例示するものである。この状態で、蛇篭本体１４の側面１２を組み立てる。
【００６４】
吊上ワイヤＲは、蛇篭本体１４の側面１２よりも内側に位置させておき、図８に示すように、側面１２の上部に配する内周骨線３０の外側を通過させて、側面１２よりも上方に導く。
【００６５】
このとき、螺旋状の連結コイルを介して、内周骨線３０、吊上ワイヤＲ、および蛇篭本体１４の側面１２とを同時に拘束する。内周骨線３０を固定すると同時に、吊り上げ作業時における、吊上ワイヤＲの動きを抑えるためである。
【００６６】
石材を詰めるときは、上蓋１３を設けない状態で、吊上ワイヤＲをクレーンフックに係止させて吊り上げ、金属型枠に入れる。石材投入時には、吊上ワイヤＲが邪魔にならないよう、吊上ワイヤＲの上部を金属型枠の外側に出しておくことが望ましい。石材投入後、上蓋１３を配してから、再び吊り上げて金属型枠の外に出し、集積場所等に移動させる。
【００６７】
図９に示すように、上蓋１３は、例えば、側面１２の上端外周部に略長方形の金網パネル材で構成した複数の襟材（外周蓋材）７０を設け、この襟材７０の内周側から吊上ワイヤＲを外に出し、襟材７０の内周に上蓋本体７５を設けて、襟材７０と上蓋本体７５とを連結コイル１８を介して固定する。襟材７０と側面１２上端部も、例えば、連結コイル１８を介して固定する。
【００６８】
このように吊上ワイヤＲを固定配置すれば、吊上ワイヤＲは蛇篭本体１４の側面１２の内側を通って、クレーンフックに係止させることが出来る。また、吊上ワイヤＲは底面１１の網目を通過させてあり、上蓋１３（例えば襟材７０と上蓋本体７５による上蓋）にも吊上ワイヤＲの力が働かない構成である。
【００６９】
従って、石材を詰めた大型蛇篭を吊り上げても、吊上ワイヤＲによる外力は蛇篭本体１４に作用せず、結果として、蛇篭本体１４を変形させることなく吊り上げることが可能となる。
【００７０】
なお、図１０に示すように、蛇篭本体１４の側面１２の上端部に内周骨線３０を配する場合は、吊上ワイヤＲが上蓋１３の外周部分から上方に出る。このため、通常のダルマ篭で使用する上蓋１３を使用することが出来る。上蓋１３は、連結コイル（図示せず）を用いて固定できる。
【００７１】
内周骨線３０は、水平（底面１１と平行）に配する。高さ位置は、側面１２の中間部より上方、より好ましくは蛇篭本体１４の背高の２／３より上方に配する。ダルマ篭の側面１２には、通常、水平方向に配した番線があるので当該位置に内周骨線３０を配すると、製品の均一を保つことが出来る。
【００７２】
井の字状（井桁）の基礎台座５０を使用する場合でも、吊上ワイヤＲの端部リングＲ−１、Ｒ−２の二つを、同時に台座２０の係着部２１に固定する必要はない。一方の端部リングＲ−１を台座２０に固定し、他方の端部リングＲ−２をクレーンフックに係止させて吊り上げても良い。吊上ワイヤＲの本数は、十分な安全率を考慮した上で、適宜、例えば３本〜８本の範囲で設定することが出来る。
【００７３】
図１１に示すように、本発明に係る大型蛇篭は、略直方体を呈する所謂フトン篭に使用しても良い。
【００７４】
蛇篭１０は、底面１１、側面１２、上蓋１３を備える蛇篭本体１４と、この蛇篭本体１４の底面１１の下に配する台座２０とからなり、蛇篭本体１４の側面１２の内側に、該蛇篭本体１４の底面１１と略平行に配した内周骨線３０を備える点で、ダルマ篭と同様の構成とすることが出来るからである。内周骨線３０を、側面１２の上端部または上端部から若干下方に離隔させた位置に配設する点、および台座２０の構成も略同様である。
【００７５】
台座２０を、四本の金属製の棒材５１（または平板材）を井桁に組んだ基礎台座５０と、この基礎台座５０の上に配した上部台座６０とによって構成する場合は、例えば、図１２に示すように、棒材５１の長さを長短二種類に調整するとともに、上部台座６０を略長方形とする。
【００７６】
吊上ワイヤＲの端部リング（Ｒ−１、Ｒ−２）を、係合させる係着部２１を黒点で示す。係着部２１に位置させた吊上ワイヤＲは、上部台座６０によって動きを拘束する点も、ダルマ篭の場合と同じである。
【００７７】
吊上ワイヤＲの長さは、統一することが望ましい。このため、上部台座６０の長手方向を短縮するか短手方向を大きくすることによって、係着部２１からクレーンフックまでの距離を等しくすることが出来る。
【００７８】
或いは、図１３に示すように、上蓋１３を、略長方形の開口を設けた外周蓋材１３−１と、当該開口を封鎖する内周蓋材１３−２によって構成し、開口の形状を調整することによって、外周蓋材１３−１と内周蓋材１３−２の接続箇所から上蓋１３の上方に案内する吊上ワイヤＲの全体距離（係着部２１からクレーンフックまでの距離）を調節しても良い。
【００７９】
外周蓋材１３−１の端縁から開口までの寸法を、Ｗ１（上蓋の長手方向）、Ｗ２（上蓋の短手方向）とした場合、Ｗ１、Ｗ２の寸法を変更することで吊上ワイヤＲの全体距離（係着部２１からクレーンフックまでの距離）を調節できる。外周蓋材１３−１と側面１２、外周蓋材１３−１と内周蓋材１３−２は、連結コイル１８を介して結合できる。
【００８０】
このような構成とすれば、略直方体を呈する大型蛇篭（１０）も、変形を生じさせることなく吊上作業を行うことが出来る。
【００８１】
内周骨線３０を側面１２の上端部に配した場合は、側面１２の外周端部から吊上ワイヤＲを外に出すことが出来るので、外周蓋材１３−１と内周蓋材１３−２を組み合わせて上蓋（１３）とする必要はない。一般的に使用されるダルマ篭／フトン篭の上蓋（一枚上蓋）を用いることが出来る。
【００８２】
また、上蓋１３を構成する外周蓋材１３−１は、長方形の金網パネルを四辺に用いたもの（前記実施形態の襟材７０と同じもの）を使用しても良い。
【符号の説明】
【００８３】
１０  蛇篭
１１  底面
１２  側面
１３  上蓋
１３−１  外周蓋材
１３−２  内周蓋材
１４  蛇篭本体
１８  連結コイル
２０  台座
２１  係着部
３０  内周骨線
５０  基礎台座
５１  棒材
６０  上部台座
７０  襟材
７５  上蓋本体
Ｐ  骨線
Ｒ  吊上ワイヤ
Ｒ−１、Ｒ−２  端部リング
Ｗ１、Ｗ２  外周蓋材の端縁から開口までの寸法
【図１】
2018165453.tif 000003
【図２】
2018165453.tif 000004
【図３】
2018165453.tif 000005
【図４】
2018165453.tif 000006
【図５】
2018165453.tif 000007
【図６】
2018165453.tif 000008
【図７】
2018165453.tif 000009
【図８】
2018165453.tif 000010
【図９】
2018165453.tif 000011
【図１０】
2018165453.tif 000012
【図１１】
2018165453.tif 000013
【図１２】
2018165453.tif 000014
【図１３】
2018165453.tif 000015
【図１４】
2018165453.tif 000016
【図１５】
2018165453.tif 000017